(57)【特許請求の範囲】
【請求項１】
縦筒形状の固定具本体が設けられ、
前記固定具本体の下端面を構成する底板部に、取付下地への第一固定部が設けられ、
前記固定具本体の上端部に、固定対象の他物を固定する第二固定部が設けられている他物固定具であって、
前記第一固定部は、前記固定具本体の筒内に配置してあり、
前記固定具本体の筒周面部に、前記第一固定部の固定操作を筒外方から実施可能な状態に第一開口部が設けてあり、
前記第一開口部は、前記固定具本体の周方向の複数箇所に形成してあり、
前記固定具本体の外周面に沿って上下スライド自在な状態にスライド筒部材が外嵌させてあり、
前記スライド筒部材は、下方側にスライドさせることで前記各第一開口部を閉塞できるように構成してある他物固定具。
【請求項２】
前記固定具本体の外周面の上下中間部に、筒周方向に沿って水切りフランジが一体に設けてある請求項１に記載の他物固定具。
【請求項３】
前記固定具本体の内空部を上下に遮断する隔壁部が、前記固定具本体に一体に設けてある請求項１又は２に記載の他物固定具。
【請求項４】
前記第二固定部は、前記固定具本体の筒内に配置してあり、
前記固定具本体の筒周面部に、前記第二固定部の固定操作を筒外方から実施可能な状態に第二開口部が設けてあり、
前記第二開口部は、その下端部が、前記隔壁部に接する状態に配置してあり、
前記隔壁部の上面は、前記第二開口部に向けて下り勾配に形成してある請求項３に記載の他物固定具。
【発明の詳細な説明】
【技術分野】
【０００１】
本発明は、例えば、コンクリート床（取付下地の一例）の上に、ソーラーパネルやその固定枠等の固定対象部材（他物の一例）を固定するのに、建物屋上スラブと固定対象部材との間に介在させて両者を固定する他物固定具に関し、更に詳しくは、縦筒形状の固定具本体が設けられ、前記固定具本体の下端面を構成する底板部に、取付下地への第一固定部が設けられ、前記固定具本体の上端部に、固定対象の他物を固定する第二固定部が設けられている他物固定具に関する。
【背景技術】
【０００２】
従来、この種の他物固定具としては、図８に示すように、底板部５ａを備えた四角筒からなる固定具本体５と、固定具本体５の上端部に被さる蓋部材２０とを設けて構成されたものがあった（例えば、特許文献１参照）。
前記底板部５ａには、複数の第一ボルト挿通孔（第一固定部Ｋ１の一例）Ｋ１ａが形成してあり、コンクリート床２に埋設されたアンカーボルト２ｂが、このボルト挿通孔Ｋ１ａを貫通するように固定具本体５を設置した後、ナットＮを螺合させて締め付けることで固定具本体５をコンクリート床２に固定できるように構成してある。
前記蓋部材２０には、複数の第二ボルト挿通孔（第二固定部Ｋ２の一例）Ｋ２ａが形成してあり、蓋部材２０上に配置する固定対象部材３をボルト固定できるように構成してある。また、蓋部材２０は、固定具本体５の上縁部の筒外方に形成したフランジ部２１にボルト固定できるように構成してある。蓋部材２０を固定具本体５に固定した状態においては、蓋部材２０の外周部は、固定具本体５の外周面より突出しているから、水切りの役目を担うことができる。
前記固定具本体５の一つの周面には、上下方向での中央部に丸穴（開口部の一例）２２が形成してあり、この丸穴２２から筒内に腕を入れて、第一ボルト挿通孔Ｋ１ａや第二ボルト挿通孔Ｋ２ａでのネジ固定操作を実施できるように構成してある。
また、当該他物固定具をコンクリート床２上に固定した後、コンクリート床２面に設置した防水シート２ａを、固定具本体５の周面まで立ち上げて施工し、固定箇所の防水を図っている。
【先行技術文献】
【特許文献】
【０００３】
【特許文献１】特開２００９−１６７７５４号公報（図１、図４）
【発明の概要】
【発明が解決しようとする課題】
【０００４】
上述した従来の他物固定具によれば、固定具本体をコンクリート床上に設置する段階において、例えば、降雨等があった場合、固定具本体の上端の開口や、前記丸穴から水が固定具本体に進入して底板部上に溜まり、ボルトやナットの腐食の原因となる他、第一ボルト挿通孔を通してコンクリート床に水が漏水する原因となる危険性がある。
その結果、固定具本体内に浸入した水を排除する必要があり、他物固定具の設置作業に手間が掛かる問題点がある。
一方、手間を掛けずに設置作業を実施する為には、降雨を避けて設置作業を実施する必要があり、他物固定具の設置工程の自由性に欠けると共に、設置工程が長引き易い問題点がある。
【０００５】
従って、本発明の目的は、上記問題点を解消し、降雨時の設置作業でも効率よく実施できる他物固定具を提供するところにある。
【課題を解決するための手段】
【０００６】
本発明の第１の特徴構成は、縦筒形状の固定具本体が設けられ、前記固定具本体の下端面を構成する底板部に、取付下地への第一固定部が設けられ、前記固定具本体の上端部に、固定対象の他物を固定する第二固定部が設けられている他物固定具であって、前記第一固定部は、前記固定具本体の筒内に配置してあり、前記固定具本体の筒周面部に、前記第一固定部の固定操作を筒外方から実施可能な状態に第一開口部が設けてあり、前記第一開口部は、前記固定具本体の周方向の複数箇所に形成してあり、前記固定具本体の外周面に沿って上下スライド自在な状態にスライド筒部材が外嵌させてあり、前記スライド筒部材は、下方側にスライドさせることで前記各第一開口部を閉塞できるように構成してあるところにある。
【０００７】
本発明の第１の特徴構成によれば、固定具本体の筒内に第一固定部が配置されているから、第一固定部に使用されているネジ部材等の固定部材が、直接に外部に暴露されることを防止できる。更には、第一固定部が直接的に風雨に曝され難いから、各部材の腐食による劣化を抑制し、長期間にわたって安定した固定状態を維持することができる。
一方、第一開口部は、操作対象の第一固定部に近い位置に設けられているから、第一固定部に対する固定操作を、より効率的に実施することができ、当該他物固定具の設置工程の短縮化を図ることができる。
複数箇所の第一開口部を使用して、効率的に第一固定部の操作を実施できるから、他物固定作業の工程短縮を図ることができる。
また、第一固定部を操作する際には、スライド筒部材を上方側にスライドさせておくことで第一開口部を開状態にしておくことができる一方、固定操作が終わった後は、前記スライド筒部材を下方側にスライドさせることで、全ての第一開口部を一度に閉塞することができ、繁雑な操作が必要ない。
尚、第一開口部を閉塞状態にした後は、スライド筒部材の外周部に、取付下地からの防水シートを立ち上げて設置することができ、第一固定部の防水性をより向上させて、安定した他物固定状態を長期間にわたって維持することができる。
【０００８】
本発明の第２の特徴構成は、前記固定具本体の外周面の上下中間部に、筒周方向に沿って水切りフランジが一体に設けてあるところにある。
【０００９】
本発明の第２の特徴構成によれば、水切りフランジを筒外周面に一体的に設けてあるから、それ以下に位置する固定具本体の周部に雨水がつたって降下し難くでき、固定具本体の下端部に位置する第一固定部への水の浸入、及び、それに伴う弊害の発生を防止できる。
また、水切りフランジの設置部分では筒体としての断面二次モーメントが増加することにより、筒体の補強効果を期待できるものであるが、固定具本体の上下中間部に、水切りフランジを一体に設けてあるから、当該他物固定具に作用する荷重に対する筒体の膨らみを、より効率よく抑制することができ、支持強度の向上を図ることができる。
【００１０】
本発明の第３の特徴構成は、前記固定具本体の内空部を上下に遮断する隔壁部が、前記固定具本体に一体に設けてあるところにある。
【００１１】
本発明の第３の特徴構成によれば、隔壁部によって固定具本体の内空部が上下に遮断され、仮に、隔壁部より上の筒内空部に水が浸入するようなことがあっても、下方の第一固定部に達するのを防止できる。よって、第一固定部の健全な固定状態を維持し易い。
更には、前記水切りフランジによる筒体の膨らみ抑制効果と同様に、前記隔壁部によっても固定具本体の筒の変形を抑制することができ、他物固定具としての支持強度の向上を図ることができる。
【００１２】
本発明の第４の特徴構成は、前記第二固定部は、前記固定具本体の筒内に配置してあり、
前記固定具本体の筒周面部に、前記第二固定部の固定操作を筒外方から実施可能な状態に第二開口部が設けてあり、
前記第二開口部は、その下端部が、前記隔壁部に接する状態に配置してあり、
前記隔壁部の上面は、前記第二開口部に向けて下り勾配に形成してあるところにある。
【００１３】
本発明の第４の特徴構成によれば、固定具本体の筒内に第二固定部が配置されているから、第二固定部に使用されているネジ部材等の固定部材の下端部が、直接に外部に暴露されることを防止できる。更には、第二固定部の下面が直接的に風雨に曝され難いから、各部材の下端部に水がつたって腐食の原因になることを防止し、長期間にわたって安定した他物固定状態を維持することができる。
一方、第二開口部は、操作対象の第二固定部に近い位置に設けられているから、第二固定部に対する固定操作を、より効率的に実施することができ、当該他物固定具への他物の設置工程の短縮化を図ることができる。
また、第二開口部は、その下端部が、前記隔壁部に接する状態に配置してあるから、仮に、隔壁部より上方の筒内空部に水が浸入しても、隔壁部の上から第二開口部を通して簡単に筒外に排除することができる。特に、前記隔壁部の上面は、前記第二開口部に向けて下り勾配に形成してあるから、隔壁部の上の水は、前記下り勾配に沿って確実に筒外に排除される。
従って、当該他物固定具への他物の設置段階で降雨等があって水が固定具本体に進入しても、簡単に排除され、隔壁部に水溜まりが残ることを防止できる。
よって、隔壁部の腐食を抑制でき、安定した他物固定状態を長期間にわたって維持することができる。
【００１４】
【００１５】
【図面の簡単な説明】
【００１６】
【図１】固定台の設置状況を示す斜視図
【図２】固定台の設置状況を示す斜視図
【図３】固定台の分解斜視図
【図４】固定台の設置状況を示す正面視断面図
【図５】図４中のＶ−Ｖ断面図
【図６】図４中のＶＩ−ＶＩ断面図
【図７】別実施形態の固定台の設置状況を示す斜視図
【図８】従来の他物固定具の設置状況を示す正面視断面図
【発明を実施するための形態】
【００１７】
以下に本発明の実施の形態を図面に基づいて説明する。尚、図面において従来例と同一の符号で表示した部分は、同一又は相当の部分を示している。
【００１８】
図１は、本発明の他物固定具の一実施形態品（以後、単に固定台１という）を使用して、屋上のコンクリート床（取付下地の一例）２の上に、ソーラーパネル３ａやその固定枠３ｂ等の固定対象部材（他物の一例）３を固定してある状況を示している。
【００１９】
前記コンクリート床２の上には、防水シート２ａが敷設してある。
当該実施形態においては、コンクリート床２の全域に防水シート２ａが敷設してある状態で、その上に、当該固定台１を設置して、固定対象部材３を固定台１に固定してある例を示している。従って、固定台１を設置した後、その周囲に、防水シート２ａと固定台１の外周部にわたる状態に増貼り防水シート４を設置して、固定台設置部分から下方への漏水防止を図っている。
コンクリート床２における固定台設置箇所には、予め、アンカーボルト２ｂが設置してあり、このアンカーボルト２ｂに固定台１が固定されている（図２〜４参照）。
【００２０】
前記固定対象部材３は、形鋼をトラス構造に組みあげた固定枠３ｂと、固定枠３ｂの上面に沿って取り付けられたソーラーパネル３ａとを備えて構成してあり、前記固定枠３ｂが、前記固定台１にボルト固定されている。
前記固定枠３ｂは、ソーラーパネル３ａを傾斜姿勢に支持する構造に形成してあり、ソーラーパネル３ａが効率よく太陽光を受光できるように構成してある。
【００２１】
前記固定台１は、図２〜４に示すように、底板部５ａと天板部５ｂとを備えた四角縦筒からなる固定具本体５と、固定具本体５に上下スライド自在な状態に外嵌させてあるスライド筒部材６とを備えて構成してある。これらは、何れも金属製である。
【００２２】
前記固定具本体５は、その下端面を構成する前記底板部５ａに、前記コンクリート床２への第一固定部Ｋ１が設けられ、上端面を構成する前記天板部５ｂに、前記固定対象部材３を固定する第二固定部Ｋ２が設けられている。
前記第一固定部Ｋ１は、複数の第一ボルト挿通孔Ｋ１ａで構成してあり、前記第二固定部Ｋ２は、複数の第二ボルト挿通孔Ｋ２ａで構成してある（図３参照）。
前記第一ボルト挿通孔Ｋ１ａには、前記コンクリート床２に埋設されたアンカーボルト２ｂが下方から挿通され、そのボルト上端部にナットＮを螺合して締め付けることで固定具本体５がコンクリート床２に固定される。
前記第二ボルト挿通孔Ｋ２ａには、前記固定枠３ｂを固定するためのボルト１０が下方から挿通され、そのボルト上端部にナットＮを螺合して締め付けることで固定枠３ｂが固定台１に固定される。
【００２３】
前記固定具本体５の４つの筒周面部５ｃには、その上端部と下端部とにそれぞれ開口部が形成してある。便宜上、下端部に形成されている開口部を第一開口部Ｈ１と呼び、上端部に形成されている開口部を第二開口部Ｈ２と呼ぶ。
【００２４】
各第一開口部Ｈ１は、その下端部が、前記底板部５ａに接する状態に配置してあり、この第一開口部Ｈ１を通して前記第一固定部Ｋ１の固定操作を筒外方から実施できるように構成されている。
尚、前記スライド筒部材６は、下方側にスライドさせることで前記各第一開口部Ｈ１を閉塞できるように寸法設定してある（図６参照）。この閉塞状態においては、前記増貼り防水シート４の立上部分をこのスライド筒部材６の外周面に固定することで、固定台１周囲の防水を行える（図４参照）。
また、前記第一固定部Ｋ１に対する固定操作の際には、このスライド筒部材６を上方側にスライドさせることで、各第一開口部Ｈ１を全開状態にでき、第一開口部Ｈ１を通した固定操作を効率よく実施することができる。
因みに、スライド筒部材６を、上方側の停止位置で固定具本体５に仮止めする仮止めビス７が、スライド筒部材６と固定具本体５とにわたって着脱自在に設けてある。
【００２５】
各第二開口部Ｈ２は、図４に示すように、その上端部が、前記天板部５ｂに接する状態に配置してあり、この第二開口部Ｈ２を通して前記第二固定部Ｋ２の固定操作を筒外方から実施できるように構成されている。
また、前記第二開口部Ｈ２の下端部に接する状態に、固定具本体５の内空部を上下に遮断する隔壁部５ｄが設けてある。
前記隔壁部５ｄの上面は、前記第二開口部Ｈ２に向けて下り勾配に形成してある（図４、図５参照）。
従って、第二開口部Ｈ２を通して固定具本体５の内空部に水が浸入しても、隔壁部５ｄによって水を遮断して下方の内空部への漏水を防止できると共に、浸入水を、下り勾配の上面に沿わせて第二開口部Ｈ２から外部に速やかに排出することができる。
【００２６】
また、前記固定具本体５の筒周面部５ｃの上下中間部には、図４、図５に示すように、筒周方向に沿って水切りフランジ５ｅが一体に設けてある。従って、通常の雨水や、前記隔壁部５ｄの下り勾配によって筒外に排出された水を、この水切りフランジ５ｅによって筒径方向の外側へ誘導でき、水が水切りフランジ５ｅより下方の筒周面部５ｃをつたって流下するのを防止できる（水切り効果）。その結果、固定台１の設置箇所から水を遠ざけて、防水性能の向上を援護できる。
固定具本体５の周りの防水は、前述のように前記スライド筒部材６によって第一開口部Ｈ１を閉塞した状態で増貼り防水シート４を設置するだけの簡単な防水施工によって、高い防水効果が得られることに加えて、この水切りフランジ５ｅによる前記水切り効果が相乗的に作用して、より高い防水性能が得られる。
更には、この水切りフランジ５ｅ、及び、前記隔壁部５ｄによって、固定具本体５の筒体としての断面二次モーメントが増加し、筒体の補強効果を期待できる。従って、固定台１への荷重作用に伴う筒体の膨らみをより効率よく抑制でき、支持強度の向上を図ることができる。
【００２７】
当該実施形態で説明した固定台１によれば、第一固定部Ｋ１に使用されているネジ部材等の固定部材が、直接に外部に暴露されることを防止できると共に、第一固定部Ｋ１が直接的に風雨に曝され難いから、各部材の腐食による劣化を抑制し、長期間にわたって安定した固定状態を維持することができる。
また、第一固定部Ｋ１に対する固定操作を、第一開口部Ｈ１を通してより効率的に実施することができ、当該固定台１の設置工程の短縮化を図ることができる。
また、仮に、固定台１の設置作業中に固定具本体５内に水が浸入しても、第一開口部Ｈ１を通して簡単に筒外に排除することができる。
以上の結果、設置段階に内空部へ水が浸入しても悪影響を受け難くでき、降雨時の設置作業でも手間を掛けずに効率よく実施でき、しかも、第一固定部Ｋ１からコンクリート床２への漏水の危険もないから、安定した設置状態を長期間にわたって維持することができる。
【００２８】
〔別実施形態〕
以下に他の実施の形態を説明する。
【００２９】
〈１〉  前記取付下地２は、先の実施形態で説明したコンクリート床に限るものではなく、例えば、折板屋根や、デッキプレート屋根や、プレキャスト版による床等であってもよく、要するに、当該他物固定具の取付下地となるものを指す。
また、防水シート２ａによる防水層を形成したものに限らず、他の形態によって構成した防水層を形成したものであってもよい。
〈２〉  前記他物３は、先の実施形態で説明したソーラーパネル３ａやその固定枠３ｂに限るものではなく、例えば、広告等やキュービクル等の屋外設備であってもよく、それらを含めて他物と総称する。
〈３〉  前記固定具本体５は、先の実施形態で説明した四角筒形状に限るものではなく、例えば、五角形以上の多角形筒形状や、図７に示すように、円筒形状のものであってもよい。また、外周部に、図に示すようなブレース取付部８を設けたものであってもよく、この場合、間隔をあけて隣接設置された別の固定台１のブレース取付部８にわたってブレース９を取り付けることができ、より強度の高い支持構造を構築することができる。
また、固定具本体５が円筒形状の場合、前記スライド筒部材６も円筒形状となる。円筒形状のスライド筒部材６は、図７に示すように上下移動自在に設けられるものの他、例えば、固定具本体５の縦軸芯周りに回転自在に設けることも可能である。その場合、固定具本体５の第一開口部Ｈ１に対応する開口部をスライド筒部材６にも設けておき、両開口部どうしが重なる姿勢となるようにスライド筒部材６を縦軸芯周りに回転すると、それらの開口部を通して第一固定部Ｋ１に対する固定操作が可能となる。一方、固定具本体５の第一開口部Ｈ１にスライド筒部材６の開口部が重ならない姿勢となるようにスライド筒部材６を縦軸芯周りに回転すると、前記第一開口部Ｈ１を閉塞することができる。
〈４〉  前記第二固定部Ｋ２は、先の実施形態で説明した筒内の天板部５ｂに形成するもの限るものではなく、例えば、筒外に鍔状にフランジ部を設けて、そのフランジ部に形成してあってもよい。
また、ボルト挿通孔で構成することに限らず、ネジ部材や他の固定手段を採用することも可能である。更には、ボルト挿通孔を、当初から設けておくことに限らず、例えば、天板部５ｂ上に他物３を載置した状態で、それらを貫通する状態にボルト挿通孔を形成するものであってもよい。
〈５〉  前記隔壁部５ｄは、その上面に、第二開口部Ｈ２に向けた下り勾配が形成されたものを説明したが、勾配のない平板で構成するものであってもよい。また、下り勾配を設ける場合でも、先の実施形態で説明した構造に限るものではなく、要するに、上面に水が溜まり難くできる勾配であればよい。
【００３０】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【符号の説明】
【００３１】
２      コンクリート床（取付下地の一例）
３      固定対象部材（他物の一例）
５      固定具本体
５ａ    底板部
５ｃ    筒周面部
５ｄ    隔壁部
５ｅ    水切りフランジ
６      スライド筒部材
Ｈ１    第一開口部
Ｈ２    第二開口部
Ｋ１    第一固定部
Ｋ２    第二固定部
【図１】
0005427091.tif 000002
【図２】
0005427091.tif 000003
【図３】
0005427091.tif 000004
【図４】
0005427091.tif 000005
【図５】
0005427091.tif 000006
【図６】
0005427091.tif 000007
【図７】
0005427091.tif 000008
【図８】
0005427091.tif 000009